(57)【要約】      （修正有）【課題】スマートフォンなどモバイル端末の操作に自信が無い人、一人暮らしの高齢者などが突然不慮の災害に直面した際、簡単な操作で自身の家族などに適切な情報を伝達できるシステムを提供する。【解決手段】モバイル端末と、端末と相互遠距離無線通信可能なＢＬＥを搭載した子機とからなり、モバイル端末および子機を同一人物が持ち、同人の緊急時など、子機のスイッチボタンのみ作動させることにより同人のモバイル端末に信号が送られ、その端末から、伝達ソフトによるメッセージや音を出力させ、起動させたアプリケーションを使って遠隔地の、予め登録させておいた呼び出される側のモバイル端末に情報を伝達させる。【選択図】図１
0003217815.tif 000002
【実用新案登録請求の範囲】
【請求項１】
スマートフォンのようなモバイル端末と、
該端末と相互遠距離無線通信可能なＢＬＥなどを搭載した子機とからなり、
モバイル端末および子機を同一人物が持ち、
同人の緊急時など、子機のスイッチボタンのみ作動させることにより同人のモバイル端末に信号が送られ、
その端末から、例えばＬＩＮＥによるメッセージまたは音を出力させ、
起動させたアプリケイションを使って遠隔地の、予め登録させておいた呼び出される側のモバイル端末に情報を伝達させた
ことを特徴とした情報伝達システム。
【請求項２】
上記請求項１の子機には上記ＢＬＥを起動させる１乃至数個のスイッチボタンを設け、
呼び出し側が子機を、呼び出される側がモバイル端末を持ち、
呼び出し側の緊急時上記スイッチボタンのみ作動させ、
呼び出される側のモバイル端末に、予め登録させておいた例えばＬＩＮＥによるメッセージまたは音を出力させるようにした
ことを特徴とした情報伝達システム。
【請求項３】
上記請求項１のスマートフォンのようなモバイル端末は、ＦＭラジオや動画、写真の撮影や音楽の再生や、所謂家電のスイッチ操作機能および各種格ＳＩＭにも対応するなど豊富な機能を持つものであって、
該モバイル端末および子機を同一人物が持ち、
上記子機のスイッチボタン動作を、ワンタッチでモバイル端末の機能を操作できるようにした
ことが特徴とした情報伝達システム。
【請求項４】
上記請求項２の子機には万歩計機能を設け、当該万歩計には
一定時間経過後するも予め登録された歩数の表示がされないとき、
あるはその歩数が顕著に少ないとき、もしくは予め一定距離を設定したとき、自動的に呼び出される側のモバイル端末に予め登録させておいた，例えばアラート（ａｌｅｒｔ）やＧＰＳ位置情報や、ＬＩＮＥのメッセージまたは音を出力させるようにした
ことを特徴とした情報伝達システム。
【請求項５】
上記請求項１の子機には、キーホルダーやネックストラップなどへの吊り下げ型やマジックテープやマグネット等の連結乃至固着部材、さらには充電機能や停電時にも役に立つＬＥＤ等のライトを搭載することも、風呂場でも使用や設置できるなどの簡易防水乃至完全防水［ＩＰＸ（Ｉｎｔｅｒｎｅｔｗｏｒｋ  Ｐａｃｋｅｔ  ｅＸｃｈａｎｇｅ）−８］の１つ若しくは複数の仕様や機能がなされている
ことが特徴の情報伝達システム。
【考案の詳細な説明】
【技術分野】
【０００１】本案は、スマートフォンのようなモバイル端末と、その子機とからなる相互遠距離情報伝達システムに関する。
【背景技術】
【０００２】例えばお年寄りなどの介護にあって、いくら家族でも毎日毎日付き切りの介護を行なうことは不可能であり、近頃の介護施設でも人手不足で度重なるナースコールの呼び出しには追い付かないケースもあると報じられている。【０００３】一方、スマートフォンのようなモバイル端末は、情報の伝達機能に優れた機器として飛躍的に進歩した。しかしこれらの機器の利用は高齢者でなくともその操作が難しく、特に急ぎの時の操作には自信がもてないと言う人が多いのも現状である。【０００４】そこで本案は、スマートフォンのようなモバイル端末に内装された豊富な機能を利用するものでありながら、高齢者やスマートフォンの取り扱いが苦手な者でも操作できる子機を開発したものである。【０００５】而して、スマートフォンの子機を用いた先行の発明としては、特許文献１があるがこの発明は、本案のように高齢者などスマートフォンを操作、取り扱いが苦手な人のために案出されたものでなく、スマートフォン子機から入力される音入力レベルが閾値を超えると、音アンプの電源をオンとするなどを特徴とするもので、本件考案とはその趣旨が全く異なったものでる。
【先行技術文献】
【０００６】
【特許文献１】日本国特開２０１６−２２５９６２
【考案の概要】
【考案が解決しようとする課題】
【０００７】本案は例えば一人暮らし高齢者の、突然の身体的障害や、振込詐欺との遭遇など不慮事態に直面した際、ごく簡単な操作で自分の家族などに適切な情報を伝達できるシステムを提供することであり、これに加え近時ＦＭラジオや動画、写真の撮影や音楽の再生や各種格ＳＩＭにも対応するなど豊富な機能を持つスマートフォンの操作にも、例えばワンタッチ操作で対応できるなど、スマートフォン利用者の負担や不安を軽減する高齢者のニーズを的確に捉えたシステムを提供することにある。
【課題を解決する為の手段】
【０００８】而して本案の第１の特徴は、スマートフォンなど携帯やタブレットなどのモバイル端末と、該端末と相互遠距離無線通信可能なＢＬＥ（Ｂｌｕｅｔｏｏｔｈ  ｌｏｗ  Ｅｎｅｒｇｙ）などを搭載した子機とからなり、モバイル端末および子機を同一人物が持ち、同人の緊急時など、子機のスイッチボタンのみ作動させることにより同人のモバイル端末に信号が送られ、その端末から例えばＬＩＮＥによるメッセージまたは音を出力させ、起動させたアプリケイションを使って遠隔地の、予め登録させておいた呼び出される側のモバイル端末に情報を伝達させたことにある。
【０００９】また他の本案の第２の特徴は、上記子機には上記ＢＬＥを起動させる１乃至数個のスイッチボタンを設け、呼び出し側が子機を、呼び出される側がモバイル端末を持ち、呼び出し側の緊急時上記スイッチボタンのみ作動させ、呼び出される側のモバイル端末に、予め登録させておいた例えばＬＩＮＥによるメッセージまたは音を出力させるようにしたことにある。
【００１０】また他の本案の第３の特徴は、上記のスマートフォンのようなモバイル端末は、ＦＭラジオや動画、写真の撮影や音楽の再生や、所謂家電のスイッチ操作機能および各種格ＳＩＭにも対応するなど豊富な機能を持つものであって、該モバイル端末および子機を同一人物が持ち、上記子機のスイッチボタン動作を、ワンタッチでモバイル端末の機能を操作できるようにしたことにある。
【００１１】また他の本案の第４の特徴は、上記の子機に万歩計機能を設け、当該万歩計には一定時間経過後するも予め登録された歩数の表示がされないとき、あるはその歩数が顕著に少ないとき、もしくは予め一定距離を設定したとき、自動的に呼び出される側のモバイル端末に予め登録させておいた，例えばアラート（ａｌｅｒｔ）や
ＧＰＳ位置情報や、ＬＩＮＥのメッセージまたは音を出力させるようにしたことにある。
【００１２】また、上記子機は、衆知のＧＰＳ機能を持たせたものであればなお良く、その裏面にはマジックテープやマグネット等の固着部材を設ける他、充電機能や停電時にも役に立つＬＥＤ等のライトを搭載することも、風呂場でも使用、設置できるなど簡易防水や完全防水［ＩＰＸ（Ｉｎｔｅｒｎｅｔｗｏｒｋ  Ｐａｃｋｅｔ  ｅＸｃｈａｎｇｅ）−８］仕様がなされていることも本案システムの特徴の１つであり技術的範疇にある。
【考案の効果】
【００１３】次に本案第１の特徴の作用効果を述べるに当ったって、呼び出す側（例えば高齢者）のスマートフォンなどモバイル端末には、予め「すぐこられたい。」などの情報を登録しておく。また、かかる高齢者が外出するときなど、自分のモバイル端末は自分のカバン等に保管し、上記子機は簡単に操作できる位置例えば上着に装着などしておく。
【００１４】而して、かかる高齢者が外出の際、突然の心臓発作などの身体的障害に遭遇したような場合、子機のスイッチボタンを押すだけの簡単かつ瞬間的な操作だけで、上記ＢＬＥを介して高齢者自身のスマートフォンにその情報が伝達され、自身のモバイル端末に登録しておいた「すぐこられたい。」などの情報を例えば高齢者の家族など、呼び出される側のモバイル端末に情報として伝えられ、呼び出す側の人の不祥事を未然に阻止できるのである。
【００１５】また、上記子機とモバイル端末を同じ人が所持すれば、仮令この人が所謂＜しったくり＞などの不祥事に遭遇あるいは遭遇しようとなったとき、子機のスイッチボタンを押すだけのワンタッチ動作で、防犯ブザーとして機能を発揮させることができるのである。
【００１６】そして、かかるモバイル端末と子機を例えばお年寄りに持たせておけば、恰もナースコールのようにその緊急必要時にいつでも、家族や介護者呼び出すことができるのである。
しかもこれによりその家族や介護者は、毎日毎日付き切りの介護から開放されることとなるのである。
そして、このことはかかってくる電話連絡以外、モバイル端末の取り扱いが苦手なお年寄りでも、子機のスイッチボタンを押すだけでよいから、容易にその操作ができるようになったのである。
【００１７】また、上記第２の特徴の作用効果を述べると、高齢者など呼び出し側は上記の子機を、家族や介護者など呼び出される側が予め「すぐこられたい。」などの情報を登録したモバイル端末を持った場合で、かかる高齢者が異常を知らせたいとき、子機のスイッチボタンを押すことで上記ＢＬＥによりその情報が呼び出される側のモバイル端末に、例えばＬＩＮＥのようなメッセージまたは音を恰も病院に於ける＜ナースコール＞のように出力させることができるのである。
従って、若し介護施設などで実施すれば、介護者の人手不足にも貢献できるのである。
【００１８】また、上記第３の特徴の作用効果を述べると、近時ＦＭラジオや動画、写真の撮影や音楽の再生や各種格ＳＩＭにも対応するなど豊富な機能を持つモバイル端末が市場に出回り、高齢者に限らず各種モバイル端末に不慣れな人でも、容易にその恩恵に預かりたいと考えるところである。
【００１９】しかし、このような場合でも子機を所持する高齢者などには、この子機のスイッチボタン押すワンタッチの動作で、自身のモバイル端末の機能を操作できるようにさせたことである。
【００２０】また上記第４の特徴の作用効果を述べると、本案子機を例えば心臓に疾患ある高齢者持たせておけば、仮令同人が散歩の途中激しい発作などに見舞われ歩行が困難となった場合でも、かかる子機には一定時間経過するも予め登録された歩数の表示がされないとき、あるはその歩数が顕著に少ないとき自動的に呼び出される側モバイル端末に、上記子機からのアラート（ａｌｅｒｔ）やＧＰＳ位置情報やＬＩＮＥのメッセージまたは音などの情報が自動的に伝達されるので、かかる高齢者等の緊急状態を家族等に知らせることができたのである。
【００２１】さらに本案子機を例えば認知症の疾患ある高齢者などに持たせておば安心である。即ち、仮令同人の散歩が所謂放浪の状態になるなどの不祥事に、当然その歩数は所定以上のものとなるが、上記子機には同人の歩行距離が一定となった場合、上記のようにかかるその状態を自動的に家族等に知らせかつ、家族はその位置も知ることができるので同人の不祥事をも事前に防ぐことが出来るのでる。
【図面の簡単な説明】
【００２２】
【図１】呼び出す側が自己のスマートフォンとその子機を持ち、呼び出される側のスマートフォンに情報を伝える実施例の説明用で、呼び出す側のスマートフォンと、その子機と、呼び出される側スマートフォンを並べた正面図。
【図２】図１の作用を説明する為のブロック図。
【図３】呼び出す側が子機を持ち、呼び出される側のスマートフォンに情報を伝える実施例の説明用で、呼び出す側の子機の斜視図と、呼び出される側スマートフォンの正面図を並べた図。
【図４】図３の作用を説明する為のブロック図。
【図５】子機と、スマートフォンを用いて家電製品の制御などの応用例を示すブロック図。
【図６】万歩計を備えた子機の実施態様を示す斜視図。
【実施例１】
【００２３】以下本考案を図面の図１および図２に基づき説明する。
而して図１では、例えば高齢など呼び出す側が、自己のスマートフォン（１）とその子機（２）を持ち、例えば上記お年寄りの家族など呼び出される側のマートフォン（３）に情報を伝える例を示した。【００２４】この場合自己のスマートフォン（１）は、通常の機能を備えた一般的な機種で良いが、予め家族や介護者など呼び出す人物を登録しておく。なお好ましくは高齢者など呼び出しの所在置を伝達できるＧＰＳ等の機能を有するものが良い。【００２５】図で（２）は、自己のスマートフォン（１）と相互遠距離無線通信可能なＢＬＥ（８）などを搭載した子機であり、手のひらに入る程度の小型化されたものが好ましく、表面にスイッチボタン（４）があり、例えば図３で示した衣服のボタンに掛け止め出来る部材（５）や、その裏面には図示しないマジックテープやマグネットを装着しておくのもよい。【００２６】而して、かかる高齢者が外出するときなど、自己の呼び出し側のスマートフォン（１）は自分のカバン等に保管し、上記子機（２）は簡単に操作できる位置例えば上着のボタンなどに掛け止め出来る部材（５）などで装着（６）しておく。【００２７】今かかる高齢者が外出などの際、突然の心臓発作などの身体的障害に遭遇したような場合、子機（２）のスイッチボタン（４）を押す（７）だけの簡単かつ瞬間的な操作だけでよい。即ち上記子機（３）はそのＢＬＥ（８）を介して高齢者呼び出し側のスマートフォン（１）にその情報が伝達される。次いで該呼び出し側のスマートフォン（１）のＳＭＳ（９）などの機能で、呼び出し側のスマートフォン（１）に例えばＬＩＮで登録しておいた「すぐこられたい。」などのメッセージ情報を、高齢者の家族など呼び出される側のスマートフォン（３）を伝え（１０）その不祥事の発生を早期に連絡することができたのである。【００２８】なお、図で（１１）は呼び出し側の高齢者の意思によって発せられる上記子機（２）に設けられたキャンセルボタンである。【００２９】続いて、本案の実施例２について図３、図４を用いて述べると、この実施例は高齢者など呼び出し側が上記子機（２）のみを持ち、呼び出される側のスマートフォン（３）に情報を伝達するものである。【００３０】即ち、この実施例は恰も病院に於ける＜ナースコール＞のような出力を子機（２）により行なわせるもので、上記同様高齢者など呼び出し側の緊急な事態が発生した時に呼び出す側の人が、子機（２）のスイッチボタン（４）を押す（７）ことで、介護者など呼び出される側のスマートフォン（３）設けられているアラーム機能にその情報が伝え（１０）られるようになっている。【００３１】なお、この実施例の場合でも、呼び出される側のスマートフォン（３）に、予めＬＩＮＥなどで必要なメッセージまたは音を出力させるようにしておくこと可能であり、このシステムを若し介護施設などで実施すれば、介護者の人手不足にも貢献できるである。
【実施例３】
【００３２】図５のブロック図で示した実施例は、上記の情報伝達システムと異なり、所謂ＩＴ商品等電子機器の取り扱いが高齢者と雖も、上記子機（２）を用いて容易に行なえるように工夫したものである。
即ち例えば高齢者の呼び出し側スマートフォン（３）は、ＦＭラジオや、動画・写真の撮影機能や音楽の再生や、クーラーや電灯など所謂家電等外部機器のスイッチ操作や制御（１２）等々、所謂アップリケーションの開発によってなされた各種格ＳＩＭにも対応するなど豊富な機能を持つ。【００３３】そこで上記子機（２）には、このような機能の１乃至複数を操作できる機能手段を持たせから、そのワンタッチ操作のスイッチボタン（４）を押す（７）操作だけで、所望の電子機器の操作が可能となったのである。【００３４】この結果例えば高齢者に限らず、スマートフォンなどの利用は難しいと先天的に決めている利用者の負担や不安を軽減すると共に、「その利用はしたいのだが」と唱える、利用者のニーズを的確に捉えたシステムを提供することが出来たのであり、その操作伝達手段はＢＬＥ（８）を利用するから、当然費用は安価で、しかも制御部分の全てはスマートフォン側が有しているから、これも安価に実施できる。
【実施例の４】
【００３５】この実施例は図６に示すように上記子機（２）に、衆知の万歩計機能（１３）を装備させたものであり、且つこの万歩計機能（１３）には、その歩数加算操作状態（高齢者などが比較的順調に歩行されている状態）から、例えば３０分など一定時間が経過するもその歩数カウントが全く行なわれないか、或いは極端に少ないことが感知された場合、自動的に上記家族や介護者の呼び出される側のスマートフォン（３）に上記ＢＬＥ（８）を利用してその情報が伝達され、上記実施例２で述べたスマートフォン（３）に、予め登録させておいたのようなメッセージまたは音を出力させるようにしたものであり、この結果高齢者等がその散歩中に不測な事態に陥ったことを家族、介護者が知ることができたのである。
【００３６】また本案を実施するに当って詳細な説明および図示を省略するが、子機（２）にはキーホルダー、ネックレス、トラップなどへの吊り下げ型や、マジックテープやマグネット等の連結乃至固着部材、さらには充電機能や停電時にも役に立つＬＥＤ等のライトを搭載することも、風呂場でも使用や設置できるなどの簡易防水乃至完全防水の少なくとも１つあるいは複数の仕様や機能を持たせることが勘要である。
【産業上利用の分野】
【００３７】この考案は、スマートフォンのようなモバイル端末の機器や、ＦＭラジオや、動画・写真の撮影機能や、音楽の再生や、クーラーや、電灯など所謂家電等外部機器のスイッチ操作や制御等々、所謂アップリケーションの開発によってなされた各種格ＳＩＭにも対応する機器などに適用できる。
【符号の説明】
【００３８】（１）呼び出し側のスマートフォン
（２）子機
（３）呼び出される側のスマートフォン
（４）スイッチボタン
（５）掛け止めできる部材
（６）装着
（７）押す
（８）ＢＬＥ
（９）ＳＭＳ
（１０）情報伝え
（１１）キャンセルボタン
（１２）スイッチ操作や制御
（１３）万歩計機能
【図１】
0003217815.tif 000003
【図２】
0003217815.tif 000004
【図３】
0003217815.tif 000005
【図４】
0003217815.tif 000006
【図５】
0003217815.tif 000007
【図６】
0003217815.tif 000008
【手続補正書】
【提出日】平成30年6月25日(2018.6.25)
【手続補正１】
【補正対象書類名】実用新案登録請求の範囲
【補正対象項目名】全文
【補正方法】変更
【補正の内容】
【実用新案登録請求の範囲】
【請求項１】
モバイル端末と、
該端末と相互遠距離無線通信可能なＢＬＥを搭載した子機とからなり、
モバイル端末および子機を同一人物が持ち、
同人の緊急時など、子機のスイッチボタンのみ作動させることにより同人のモバイル端末に信号が送られ、
その端末から、伝達ソフトによるメッセージや音を出力させ、
起動させたアプリケイションを使って遠隔地の、予め登録させておいた呼び出される側のモバイル端末に情報を伝達させる
ことを特徴とした情報伝達システム。
【請求項２】
上記請求項１の子機には上記ＢＬＥを起動させる１乃至数個のスイッチボタンを設け、
呼び出し側が子機を、呼び出される側がモバイル端末を持ち、
呼び出し側の緊急時上記スイッチボタンのみ作動させ、
呼び出される側のモバイル端末に、予め登録させておいた伝達ソフトによる
メッセージや音を出力させるようにした
ことを特徴とした情報伝達システム。
【請求項３】
上記請求項１のモバイル端末は、ＦＭラジオや動画、写真の撮影や音楽の再生や、所謂家電のスイッチ操作機能にも対応するなど豊富な機能を持つものであって、
該モバイル端末および子機を同一人物が持ち、
上記子機のスイッチボタン動作を、ワンタッチでモバイル端末の機能を操作できるようにした
ことが特徴とした情報伝達システム。
【請求項４】
上記請求項２の子機には歩数計を設け、当該歩数計には
一定時間経過するも予め登録された歩数の表示がされないとき、
あるはその歩数が顕著に少ないとき、もしくは予め一定距離を設定とき、
自動的に呼び出される側のモバイル端末に予め登録させておいた，アラート（ａｌｅｒｔ）やＧＰＳ位置情報や、伝達ソフトのメッセージや音を出力させるようにした
ことを特徴とした情報伝達システム。
【請求項５】
上記請求項１の子機には、キーホルダーやネックストラップへの吊り下げ型や固着テープやマグネット、さらには充電機能や停電時にも役に立つＬＥＤのライト、風呂場でも使用や設置できる防水型の取り付け具を備えた
ことが特徴の情報伝達システム。